(57)【要約】【課題】カード表面に付着した不要物を効果的かつ確実に除去することが可能なカード洗浄装置およびカード作成装置を提供する。【解決手段】カード洗浄装置１１は、カード１０を移送する移送機構３２と、移送機構３２の上方に設けられ、カード１０の表面１０ａの不要物Ｄを除去する除去機構１２とを備えている。このうち除去機構１２は、上下方向に延びるブレード１３と、ブレード１３の下端１３ｂに設けられた二股ブレード１４とを有している。二股ブレード１４をブレード１３の下端１３ｂから見て下方かつ移送方向上流側に傾斜させることにより、カード１０の表面１０ａの不要物Ｄを効果的に除去することができる。【選択図】図１
2011126189.tif 000002
【特許請求の範囲】
【請求項１】
カード表面の不要物を除去するカード洗浄装置において、
カードを移送する移送機構と、
移送機構上方に設けられ、カード表面の不要物を除去する除去機構とを備え、
除去機構は、上下方向に延びるブレードと、ブレード下端に設けられた二股ブレードとを有することを特徴とするカード洗浄装置。
【請求項２】
二股ブレードは、ブレード下端から下方に延びる延長部と、ブレード下端からカードの移送方向上流側へ突出する除去ブレードとからなることを特徴とする請求項１記載のカード洗浄装置。
【請求項３】
除去ブレードは、ブレード下端から水平方向に突出していることを特徴とする請求項２記載のカード洗浄装置。
【請求項４】
カード表面の不要物を除去するカード洗浄装置において、
カードを移送する移送機構と、
移送機構上方に設けられ、カード表面の不要物を除去する除去機構とを備え、
除去機構は、上下方向に延びる取付部材と、取付部材に設けられた二股ブレードとを有し、
二股ブレードは、一体となって取付部材に対して回動自在に取り付けられ、かつ付勢手段によりカードの移送方向上流側に向けて付勢され、ストッパにより基本位置に係止されていることを特徴とするカード洗浄装置。
【請求項５】
二股ブレードは、上下方向に延びるブレードと、ブレードに対して直角に配置されるとともに、カードの移送方向上流側に突出する除去ブレードとからなり、基本位置においてブレードが垂直方向を向き、かつ除去ブレードが水平方向を向くことを特徴とする請求項４記載のカード洗浄装置。
【請求項６】
除去ブレードは、側方断面において先端に向かって鋭角をもつ先端突起を有することを特徴とする請求項２、３または５記載のカード洗浄装置。
【請求項７】
除去ブレードは、ポリエチレン、ポリスチレン、またはポリエチレンテレフタレートからなることを特徴とする請求項２、３、５または６記載のカード洗浄装置。
【請求項８】
請求項１乃至７のいずれか一項記載のカード洗浄装置と、
カード洗浄装置の除去機構下流側に設けられ、カード洗浄装置の移送機構によって移送されてきたカードに対して印刷を施す印刷部とを備えたことを特徴とするカード作成装置。
【発明の詳細な説明】
【技術分野】
【０００１】
本発明は、カード表面の不要物を除去するカード洗浄装置およびこのようなカード洗浄装置を備えたカード作成装置に係り、とりわけカード表面に付着した不要物を効果的かつ確実に除去することが可能なカード洗浄装置およびカード作成装置に関する。
【背景技術】
【０００２】
従来より、社員カード、銀行カード、運転免許証等のカードを作製するため、カードに対して必要な文字および顔画像等を印字するカード作成装置が用いられている（特開２００３−１９７７号公報参照）。
【０００３】
このようなカード作成装置においては、カードに印刷を施す前に、予めカード表面に付着したゴミ等を除去しておく必要がある。
【先行技術文献】
【特許文献】
【０００４】
【特許文献１】特開２００３−１９７７号公報
【特許文献２】特開平３−１１６０６３号公報
【発明の概要】
【発明が解決しようとする課題】
【０００５】
特開平３−１１６０６３号公報には、像担持体表面に残留したトナーを除去するブレードが記載されている。しかしながら、このようなブレードを上述したカード作成装置にそのまま用いたとしても、カード表面に付着した不要物を十分に除去することができない。その理由は、カード表面に付着した不要物の中には接着剤のように粘着性の高いものがあり、このようなブレードでは粘着性の高い不要物を十分に除去することができないからである。
【０００６】
他方、カード作成装置においては、粘着性の高い不要物を除去するために固いブレードを用いることも考えられる。しかしながら、ブレードを固くした場合、カードの円滑な移送が妨げられたり、カードに傷が付いてしまったりするという問題が生じる。
【０００７】
本発明はこのような点を考慮してなされたものであり、カード表面に付着した不要物を効果的かつ確実に除去することが可能なカード洗浄装置およびカード作成装置を提供することを目的とする。
【課題を解決するための手段】
【０００８】
本発明は、カード表面の不要物を除去するカード洗浄装置において、カードを移送する移送機構と、移送機構上方に設けられ、カード表面の不要物を除去する除去機構とを備え、除去機構は、上下方向に延びるブレードと、ブレード下端に設けられた二股ブレードとを有することを特徴とするカード洗浄装置である。
【０００９】
本発明は、二股ブレードは、ブレード下端から下方に延びる延長部と、ブレード下端からカードの移送方向上流側へ突出する除去ブレードとからなることを特徴とするカード洗浄装置である。
【００１０】
本発明は、除去ブレードは、ブレード下端から水平方向に突出していることを特徴とするカード洗浄装置である。
【００１１】
本発明は、カード表面の不要物を除去するカード洗浄装置において、カードを移送する移送機構と、移送機構上方に設けられ、カード表面の不要物を除去する除去機構とを備え、除去機構は、上下方向に延びる取付部材と、取付部材に設けられた二股ブレードとを有し、二股ブレードは、一体となって取付部材に対して回動自在に取り付けられ、かつ付勢手段によりカードの移送方向上流側に向けて付勢され、ストッパにより基本位置に係止されていることを特徴とするカード洗浄装置である。
【００１２】
本発明は、二股ブレードは、上下方向に延びるブレードと、ブレードに対して直角に配置されるとともに、カードの移送方向上流側に突出する除去ブレードとからなり、基本位置においてブレードが垂直方向を向き、かつ除去ブレードが水平方向を向くことを特徴とするカード洗浄装置である。
【００１３】
本発明は、除去ブレードは、側方断面において先端に向かって鋭角をもつ先端突起を有することを特徴とするカード洗浄装置である。
【００１４】
本発明は、除去ブレードは、ポリエチレン、ポリスチレン、またはポリエチレンテレフタレートからなることを特徴とするカード洗浄装置である。
【００１５】
本発明は、カード洗浄装置と、カード洗浄装置の除去機構下流側に設けられ、カード洗浄装置の移送機構によって移送されてきたカードに対して印刷を施す印刷部とを備えたことを特徴とするカード作成装置である。
【発明の効果】
【００１６】
本発明によれば、除去機構のブレード（取付部材）に二股ブレードを設けたので、この二股ブレードによってカード表面に付着した不要物を効果的かつ確実に除去することができる。
【図面の簡単な説明】
【００１７】
【図１】図１は、本発明の第１の実施の形態によるカード洗浄装置を示す斜視図。
【図２】図２（ａ）−（ｃ）は、本発明の第１の実施の形態によるカード洗浄装置の作用を示す図。
【図３】図３は、本発明の第１の実施の形態によるカード作成装置を示す図。
【図４】図４（ａ）−（ｃ）は、本発明の第１の実施の形態によるカード洗浄装置の変形例を示す図。
【図５】図５（ａ）−（ｃ）は、除去ブレードの変形例を示す側方断面図。
【図６】図６は、本発明の第２の実施の形態によるカード洗浄装置を示す斜視図。
【図７】図７（ａ）−（ｃ）は、本発明の第２の実施の形態によるカード洗浄装置の作用を示す図。
【発明を実施するための形態】
【００１８】
第１の実施の形態
以下、本発明の第１の実施の形態について、図１乃至図５を参照して説明する。図１乃至図５は、本発明の第１の実施の形態を示す図である。
【００１９】
まず、図１により、本発明の第１の実施の形態によるカード洗浄装置の概略について説明する。
【００２０】
本実施の形態によるカード洗浄装置は、カード１０の表面１０ａに付着する不要物Ｄを除去するものである。
【００２１】
このようなカード洗浄装置１１は、図１に示すように、カード１０を所定の移送方向（図１の矢印方向）に沿って移送する移送機構３２と、移送機構３２上方に設けられ、カード１０の表面１０ａに付着する不要物Ｄを除去する除去機構１２とを備えている。
【００２２】
このうち移送機構３２は、水平に載置されたカード１０を直線的に搬送する機構であれば良く、例えば従来から使用されているカード搬送装置等を用いることができる。
【００２３】
除去機構１２は、上端１３ａにおいて固定物３７に固定されるとともに上下方向に延びるブレード１３と、ブレード１３の下端１３ｂに設けられた二股ブレード１４とを有している。
【００２４】
また二股ブレード１４は、ブレード１３の下端１３ｂから下方に延びる延長部１５と、ブレード１３の下端１３ｂからカード１０の移送方向上流側（図１の右側）へ突出する除去ブレード１６とからなっている。
【００２５】
この場合、除去ブレード１６は、ブレード１３の下端１３ｂから水平方向に突出しており、すなわち延長部１５と除去ブレード１６とのなす角は直角となっている。
【００２６】
本実施の形態において、除去機構１２を構成するブレード１３、延長部１５、および除去ブレード１６は一体として構成されている。これらブレード１３、延長部１５、および除去ブレード１６は、移送されてきたカード１０によって曲げられるよう、柔軟性を有する材料からなることが好ましい。このような材料としては、例えばポリエチレン（ＰＥ）、ポリスチレン（ＰＳ）、またはポリエチレンテレフタレート（ＰＥＴ）等の合成樹脂を挙げることができる。
【００２７】
ところで、延長部１５と移送機構３２との間には、隙間１７が形成されている。この隙間１７の垂直方向の距離ｈ１は、カード１０の厚みｔ１（例えば０．５ｍｍ〜０．８ｍｍ）より狭くする必要がある。具体的には、例えばカード１０の厚みｔ１の５０％〜７０％（すなわち０．５ｔ１〜０．７ｔ１）とすることができる。
【００２８】
また図１において、ブレード１３（および延長部１５）の厚みｔ２は、例えば０．１ｍｍ〜０．４ｍｍとすることができ、除去ブレード１６の厚みｔ３は、例えば０．１ｍｍ〜０．４ｍｍとすることができる。
【００２９】
なお、本実施の形態による除去機構１２において、上述したように、ブレード１３と二股ブレード１４とは一体に構成されているが、これに限らず、ブレード１３と二股ブレード１４とを別体として作成した後、これらを互いに連結しても良い。
【００３０】
本実施の形態において、ブレード１３は、補強部材４２を介して、ボルト、ネジ等からなる複数（図１では２つ）の取付部材４３により固定物３７に固定されている。すなわちブレード１３の上端１３ａは、補強部材４２と固定物３７との間に挟持されている。この場合、補強部材４２は、細長い板材等からなるとともに、ブレード１３の幅方向に沿って延びている。
【００３１】
ブレード１３を固定物３７に固定する場合、このように補強部材４２を介在させることは以下の理由に基づく。すなわちブレード１３が柔軟な部材からなる場合であっても、補強部材４２を介在させていることにより、ネジ等の取付部材４３を締め付けた際、ブレード１３が破損するおそれがない。また、ブレード１３がうねりを伴った状態で固定物３７に固定されるおそれがない。さらに、複数の取付部材４３によりブレード１３を固定する場合であっても、ブレード１３がたわむことがないので、ブレード１３がカード１０に当たる力がカード１０の幅方向にばらつくおそれがない。
【００３２】
次にこのような構成からなる本実施の形態の作用について、図２（ａ）−（ｃ）を用いて説明する。
【００３３】
まず図２（ａ）に示すように、表面１０ａに不要物Ｄが付着したカード１０が、移送機構３２によって所定の移送方向（図２（ａ）の矢印方向）に沿って移送され、除去機構１２の下方近傍に到達する。この場合、移送機構３２によるカード１０の移送速度は、例えば１２．２ｍｍ／ｓ〜３６．６ｍｍ／ｓとすることができる。なお不要物Ｄとしては、カード１０の表面１０ａに単に載置されている小片やほこり等のゴミのほか、接着剤のように粘着性が高いものであっても良い。
【００３４】
次に、カード１０の前端１０ｂが、二股ブレード１４の延長部１５に当接する。続いて、カード１０が更に下流側に移送されることにより、延長部１５はカード１０の前端１０ｂによって押され、移送方向下流側に移動する。これに伴って、二股ブレード１４の除去ブレード１６は、ブレード１３の下端１３ｂ近傍を中心として下方に向けて回動する（図２（ｂ））。
【００３５】
このとき、除去ブレード１６は、ブレード１３の下端１３ｂから見て、下方かつ移送方向上流側に傾斜した状態で、カード１０の表面１０ａに当接する。
【００３６】
その後、カード１０は、移送機構３２によって更に下流側に移送される。この際、除去ブレード１６は、ブレード１３の下端１３ｂから見て下方かつ移送方向上流側に傾斜した状態のままで、カード１０の表面１０ａを摺動する。これにより、カード１０の表面１０ａに付着した不要物Ｄは、除去ブレード１６によってこすり取られ、カード１０の表面１０ａから除去される（図２（ｃ））。
【００３７】
このようにして不要物Ｄが取り除かれたカード１０は、その後、移送機構３２によって次工程に向けて下流側に移送されていく。
【００３８】
以上説明したように本実施の形態によれば、除去機構１２は、上下方向に延びるブレード１３と、ブレード１３の下端１３ｂに設けられた二股ブレード１４とを有している。また二股ブレード１４は、ブレード１３の下端１３ｂから下方に延びる延長部１５と、ブレード１３の下端１３ｂからカード１０の移送方向上流側へ突出する除去ブレード１６とからなっている。
【００３９】
このような構成により、カード１０が移送機構３２によって移送方向下流側に移送される際、除去ブレード１６を、ブレード１３の下端１３ｂから見て下方かつ移送方向上流側に傾斜させた状態でカード１０の表面１０ａに当接させることができる。このことにより、カード１０の表面１０ａに付着した不要物Ｄを効果的かつ確実に剥離除去することができる。
【００４０】
この場合、カード１０の移送と二股ブレード１４のたわみのみを利用して除去ブレード１６を傾斜させることができるので、複雑な機構が必要となることもない。
【００４１】
また本実施の形態によれば、ブレード１３、延長部１５、および除去ブレード１６は、ポリエチレン、ポリスチレン、またはポリエチレンテレフタレートからなっていても良い。この場合、延長部１５および除去ブレード１６を一体として容易に回動させることができ、移送機構３２によるカード１０の移送が妨げられることがない。また、除去ブレード１６によってカード１０の表面１０ａが傷付けられるおそれもない。
【００４２】
ところで、このようなカード洗浄装置１１が設けられる場所は問わないが、例えばカード作成装置の内部に設置することもできる。以下、このようなカード作成装置（カード用プリンタ）の概略について図３を用いて説明する。
【００４３】
本実施の形態によるカード作成装置４０は、例えばＩＣチップ１０ｃを含むカード（ＩＣカードともいう）１０に対して各個人の情報等を印字し、ＩＣチップ１０ｃ内に各種情報を書込んで、例えば社員カード、銀行カード、運転免許証等のカード１０を作製するものである。
【００４４】
このようなカード作成装置４０は図３に示すように、ケーシング２０と、ケーシング２０内上部に設けられカード１０を積層して収納するカード用スタッカ２１と、カード用スタッカ２１からのカード１０を搬送する上述した移送機構３２（以下第１移送機構３２ともいう）と、第１移送機構３２に沿って配置されカード１０の表面に顔画像情報を印字するＹ印刷部２２、Ｍ印刷部２３およびＣ印刷部２４とを有している。このうちＹ印刷部２２はカード１０の表面１０ａにイエロー印刷を施すものであり、Ｍ印刷部２３はカード１０の表面１０ａにマゼンタ印刷を施すものであり、Ｃ印刷部２４はカード１０の表面１０ａにシアン印刷を施すものである。
【００４５】
またＣ印刷部２４の下流側には、Ｙ印刷部２２、Ｍ印刷部２３およびＣ印刷部２４によって印刷されたインキをカード１０の表面１０ａに定着させるインキ定着部２５が設けられている。さらにインキ定着部２５の下流側には、カード１０の表面に黒色の文字情報等を印字する表面印字部２６が設けられている。
【００４６】
表面印字部２６を通過したカード１０は第１移送機構３２から第１リーダライタ２７および裏面印字部２８へ送られた後、ケーシング２０下方にある第２移送機構３３へ送られる。このうち、第１リーダライタ２７は、カード１０のＩＣチップ１０ｃに情報を書込むものであり、裏面印字部２８はカード１０の裏面に文字情報等を印字するものである。
【００４７】
さらに第２移送機構３３に沿って、カード１０の表面１０ａを保護するためカード１０の表面上に第１保護シート（図示せず）を設ける第１保護シート形成部２９が設けられ、第１保護シート形成部２９の下流側に第１保護シート上に更に第２保護シート（図示せず）を設ける第２保護シート形成部３０が設けられている。
【００４８】
また第２移送機構３３の下流側には、カード１０を受け取り、集積部３５ａ、３５ｂ、３５ｃへカード１０を振分ける振分け機構３４が設けられている。
【００４９】
なお、カード作成装置４０は制御部３１を有しており、カード作成装置４０における各構成部分は、この制御部３１により駆動制御される。
【００５０】
ところで、図３に示すカード作成装置４０において、第１移送機構３２と、第１移送機構３２上方に設けられた除去機構１２とにより、図１に示すカード洗浄装置１１が構成されている。
【００５１】
この場合、除去機構１２は、カード用スタッカ２１とＹ印刷部２２との間に設けられている。しかしながらこれに限らず、除去機構１２は、カード用スタッカ２１とＹ印刷部２２との間、Ｙ印刷部２２内（点Ｐ１）、Ｍ印刷部２３内（点Ｐ２）、Ｃ印刷部２４内（点Ｐ３）、インキ定着部２５内（点Ｐ４）、および表面印字部２６内（点Ｐ５）の全てまたは一部に設けられていても良い。すなわち、印刷部（Ｙ印刷部２２、Ｍ印刷部２３、Ｃ印刷部２４、インキ定着部２５、および表面印字部２６）のうち少なくとも１つが、除去機構１２の下流側に位置していれば良い。
【００５２】
なお、上述した実施の形態においては、本発明の要旨の範囲内で種々の変形が可能である。
【００５３】
すなわち本実施の形態においては、二股ブレード１４の延長部１５は、ブレード１３の下端１３ｂから垂直方向下方に延び、かつ二股ブレード１４の除去ブレード１６は、ブレード１３の下端１３ｂから水平方向に突出している。
【００５４】
しかしながらこれに限らず、図４（ａ）に示すように、延長部１５が、ブレード１３の下端１３ｂから垂直方向下方に延びるとともに、除去ブレード１６が、ブレード１３の下端１３ｂからカード１０の移送方向上流側へ向けて斜め下方に突出するようになっていても良い。
【００５５】
あるいは、図４（ｂ）に示すように、延長部１５が、ブレード１３の下端１３ｂからカード１０の移送方向下流側へ向けて斜め下方に延びるとともに、除去ブレード１６が、ブレード１３の下端１３ｂからカード１０の移送方向上流側へ向けて斜め下方に突出するようになっていても良い。
【００５６】
あるいはまた、図４（ｃ）に示すように、ブレード１３および延長部１５が、ともにカード１０の移送方向下流側へ向けて斜め下方に延びるとともに、除去ブレード１６が、ブレード１３の下端１３ｂからカード１０の移送方向上流側へ向けて斜め下方に突出するようになっていても良い。
【００５７】
また本実施の形態においては、二股ブレード１４の除去ブレード１６は、その側方断面において長方形形状を有している。しかしながらこれに限らず、図５（ａ）−（ｃ）に示すように、除去ブレード１６は、その側方断面において先端に向かって鋭角をもつ先端突起１８を有していても良い。
【００５８】
すなわち、図５（ａ）に示すように、除去ブレード１６は、その端部１６ａから上方向、下方向、および水平方向にそれぞれ突出する３つの先端突起１８を有していても良い。
【００５９】
また、図５（ｂ）に示すように、除去ブレード１６は、その端部１６ａから上方向および下方向にそれぞれ突出する２つの先端突起１８を有していても良い。
【００６０】
あるいはまた、図５（ｃ）に示すように、除去ブレード１６は、その端部１６ａから水平方向に突出する２つの先端突起１８を有していても良い。
【００６１】
このように除去ブレード１６の端部１６ａに先端突起１８を設けることにより、除去ブレード１６がカード１０の表面１０ａに当たる角度を調整することができ、これによりカード１０の表面１０ａに付着した不要物を更に効果的に除去することができる。
【００６２】
さらに本実施の形態においては、ブレード１３および延長部１５は、全体として均一な厚みｔ２を有している。しかしながらこれに限らず、ブレード１３の下端１３ｂ付近の厚みを部分的に薄くすることにより、カード１０の前端１０ｂが延長部１５に当接した際、二股ブレード１４がブレード１３に対して回動しやすいようにしても良い。
【００６３】
第２の実施の形態
次に、本発明の第２の実施の形態について図６および図７を参照して説明する。図６および図７は、本発明の第２の実施の形態を示す図である。図６および図７において、図１乃至図５に示す第１の実施の形態と同一部分には同一の符号を付して詳細な説明は省略する。
【００６４】
まず、図６により、本実施の形態によるカード洗浄装置の概略について説明する。
【００６５】
図６に示すカード洗浄装置５１は、カード１０を所定の移送方向（図６の矢印方向）に沿って移送する移送機構３２と、移送機構３２上方に設けられ、カード１０の表面１０ａに付着する不要物Ｄを除去する除去機構５２とを備えている。
【００６６】
このうち除去機構５２は、上端５３ａにおいて固定物３７に固定されるとともに上下方向に延びる取付部材５３と、取付部材５３の下端５３ｂに設けられた二股ブレード５４とを有している。
【００６７】
取付部材５３は、それぞれ上方から垂設されるとともにカード１０の移送方向に対して平行に位置する一対の側壁５３ｃ、５３ｄを有している。
【００６８】
また二股ブレード５４は、一体となって取付部材５３に対して回動自在に取り付けられている。すなわち二股ブレード５４は、一対の支点５８を介して取付部材５３の側壁５３ｃ、５３ｄに回動自在に取り付けられており、すなわちカード１０の前端１０ｂに平行に延びる軸線Ｙを中心として回動可能となっている。
【００６９】
また二股ブレード５４は、付勢手段５７によりカード１０の移送方向上流側に向けて付勢されている。すなわち二股ブレード５４は、図６に示すように、カード１０の移送方向に対して左側方から見た場合、反時計方向に回転付勢されている。なお、図６において付勢手段５７はコイルばね（引張りばね）からなっているが、これに限らず、例えば板ばねや渦巻きばね等からなっていても良い。
【００７０】
さらに、取付部材５３の一方の側壁５３ｄ内側にはストッパ５９が取り付けられており、このストッパ５９により、二股ブレード５４は基本位置（図６および図７（ａ）参照）に係止される。なお、基本位置とは、二股ブレード５４にカード１０が当接していない場合における、二股ブレード５４の位置である。
【００７１】
また二股ブレード５４は、上下方向に延びるブレード５５と、ブレード５５に対して直角に配置されるとともに、カード１０の移送方向上流側に突出する除去ブレード５６とからなっている。なおこの場合、図６に示す基本位置においては、ブレード５５が垂直方向を向き、かつ除去ブレード５６が水平方向を向くようになっている。
【００７２】
本実施の形態において、上述したように、二股ブレード５４のブレード５５と除去ブレード５６とは一体として構成されている。これらブレード５５および除去ブレード５６は、例えばポリエチレン（ＰＥ）、ポリスチレン（ＰＳ）、またはポリエチレンテレフタレート（ＰＥＴ）等の合成樹脂から作成することができる。
【００７３】
次にこのような構成からなる本実施の形態の作用について、図７（ａ）−（ｃ）を用いて説明する。
【００７４】
まず図７（ａ）に示すように、表面１０ａに不要物Ｄが付着したカード１０が、移送機構３２によって所定の移送方向（図７（ａ）の矢印方向）に沿って移送され、除去機構５２の下方近傍に到達する。この際、二股ブレード５４は、付勢手段５７によりカード１０の移送方向上流側に向けて付勢されており、ストッパ５９に当接することにより基本位置に係止されている。
【００７５】
次に、カード１０の前端１０ｂが二股ブレード５４のブレード５５表面に当接する。続いて、カード１０が更に下流側に移送されることにより、ブレード５５は、カード１０の前端１０ｂによって押され、移送方向下流側に移動する。この結果、二股ブレード５４のブレード５５および除去ブレード５６は、付勢手段５７の付勢力に抗して、一体となって支点５８を中心として移送方向下流側に回動する（図７（ｂ）の時計回り方向）。
【００７６】
この結果、二股ブレード５４の除去ブレード５６は、支点５８から見て下方かつ移送方向上流側に傾斜した状態で、カード１０の表面１０ａに当接する。
【００７７】
その後、カード１０は、移送機構３２によって更に下流側に移送される。この際、除去ブレード５６は、支点５８から見て下方かつ移送方向上流側に傾斜した状態のままカード１０の表面１０ａを摺動する。これにより、カード１０の表面１０ａに付着した不要物Ｄは、除去ブレード５６によってこすり取られ、カード１０の表面１０ａから除去される（図７（ｃ））。
【００７８】
このようにして不要物Ｄが取り除かれたカード１０は、その後、移送機構３２によって次工程に向けて下流側に移送されていく。
【００７９】
以上説明したように本実施の形態によれば、除去機構５２は、取付部材５３と、取付部材５３に設けられた二股ブレード５４とを有している。このうち二股ブレード５４は、一体となって取付部材５３に対して回動自在に取り付けられ、かつ付勢手段５７によりカード１０の移送方向上流側に向けて付勢されている。
【００８０】
このような構成により、カード１０が移送機構３２によって移送方向下流側に移送される際、除去ブレード５６を、支点５８から見て下方かつ移送方向上流側に傾斜させた状態で、カード１０の表面１０ａに当接させることができる。このことにより、カード１０の表面１０ａに付着した不要物Ｄを効果的かつ確実に剥離除去することができる。
【００８１】
なお、このようなカード洗浄装置５１が設けられる場所としては、例えば上述したカード作成装置４０（図３参照）の内部であっても良い。このようなカード作成装置４０については図３を用いて既に説明したので、ここでは詳細な説明を省略する。
【００８２】
なお、本実施の形態においても、本発明の要旨の範囲内で種々の変形が可能である。
【００８３】
すなわち本実施の形態においては、付勢手段５７の一端は、二股ブレード５４のうち除去ブレード５６に取り付けられている。しかしながらこれに限らず、付勢手段５７の一端を、二股ブレード５４のうちブレード５５に取り付けても良い。この場合、付勢手段５７を圧縮ばねから構成しても良い。
【００８４】
また本実施の形態において、二股ブレード５４が基本位置にあるとき、二股ブレード５４の除去ブレード５６がストッパ５９に係止するようになっている。しかしながらこれに限らず、二股ブレード５４のブレード５５に係止するようにストッパ５９を配置しても良い。
【００８５】
また本実施の形態において、二股ブレード５４のブレード５５と除去ブレード５６とがなす角は直角となっているが、これに限らず、鈍角または鋭角としても良い。
【００８６】
さらに本実施の形態においても、図５（ａ）−（ｃ）を用いて既に説明した変形例と同様、除去ブレード５６は、その側方断面において先端に向かって鋭角をもつ１つまたは複数の先端突起を有していても良い。
【符号の説明】
【００８７】
１０        カード
１１        カード洗浄装置
１２        除去機構
１３        ブレード
１４        二股ブレード
１５        延長部
１６        除去ブレード
１８        先端突起
３２        移送機構
３７        固定物
４０        カード作成装置
５１        カード洗浄装置
５２        除去機構
５３        取付部材
５４        二股ブレード
５５        ブレード
５６        除去ブレード
５７        付勢手段
５９        ストッパ
【図１】
2011126189.tif 000003
【図２】
2011126189.tif 000004
【図３】
2011126189.tif 000005
【図４】
2011126189.tif 000006
【図５】
2011126189.tif 000007
【図６】
2011126189.tif 000008
【図７】
2011126189.tif 000009